(57)【特許請求の範囲】
【請求項１】
重ね合わされた２枚の用紙の一端辺に沿う領域の表側面に、前記一端辺にて折り返されて前記２枚の用紙に渡ってテープが剥離可能に貼付されている冊子において、
前記テープは、前記一端辺に沿う方向の一端部が前記２枚の用紙に渡って前記一端辺に沿う方向に対して斜めに切られていることを特徴とする冊子。
【請求項２】
請求項１に記載の冊子において、
前記２枚の用紙をそれぞれ表紙とし、前記表紙の間に複数枚の用紙が挟み込まれて前記一端辺と対向する端辺にて綴じ合わされたことを特徴とする冊子。
【発明の詳細な説明】
【技術分野】
【０００１】
本発明は、用紙の一端辺に沿ってテープが貼付された冊子に関し、特に、テープの剥離容易性の向上技術に関する。
【背景技術】
【０００２】
従来より、カタログやパンフレット等の冊子においては、複数枚の用紙が重ね合わされ、その一端辺にて綴じ合わされることにより、見開き可能な形態となっている。このような冊子においては、２枚の表紙の間に複数枚の用紙が挟み込まれて構成されたものや、２枚の用紙のみから構成されたものがあり、いずれのものにおいても、冊子を構成する複数枚の用紙がその一端辺にて綴じ合わされている。
【０００３】
２枚の用紙から構成された冊子においては、その用途や廃棄方法によっては、綴じ合わされた２枚の用紙を分離する必要が生じる。その場合、２枚の用紙が糊を用いて綴じられている場合は、２枚の用紙を見開いて２枚の用紙を剥離することとなり、また、２枚の用紙がステープル留めされている場合は、ステープル針を取り除くことによって２枚の用紙を分離することになる。
【０００４】
ところが、２枚の用紙が糊を用いて綴じられているものにおいては、２枚の用紙を分離するために２枚の用紙を見開き、さらに、糊によって綴じられた部分がきれいに剥がれるように慎重に剥離しなければならず、２枚の用紙を容易に分離することができない。
【０００５】
また、２枚の用紙がステープル留めされたものにおいては、ステープル針を取り除く際に怪我をしたり、取り除いた針が紛失して怪我をする虞れが生じてしまったりする。
【０００６】
ここで、近年、カタログやパンフレット等の冊子を送付する際、冊子を封筒に封入、封緘して送付するのではなく、冊子の見開き辺側を剥離可能なテープで綴じて冊子を送付し、その後、冊子の送付先においてこのテープを剥離することにより冊子を閲覧可能とすることが行われている。このように冊子の送付にテープを用いることにより、冊子の送付元においてはコストダウンを図ることができ、また、冊子の送付先においてはごみを削減することができるようになる。
【０００７】
図１２は、テープを用いて送付される冊子の一例を示す図であり、（ａ）は表面図、（ｂ）は裏面図である。
【０００８】
本例における冊子は図１２に示すように、２枚の用紙７２１ａ，７２１ｂが重ね合わされ、この２枚の用紙７２１ａ，７２１ｂが表紙となってその間に複数枚の用紙（不図示）が挟み込まれて一端辺側にて綴じ合わされて構成されている。２枚の用紙７２１ａ，７２１ｂのうち、表面となる用紙７２１ａには、この冊子７２０の宛先の住所や氏名等が記載された宛名シール７２３が貼付されている。また、綴じ合わされた一端辺に対向する端辺に沿う領域には、用紙７２１ａ，７２１ｂの重ね合わせ状態における表面に、２枚の用紙７２１ａ，７２１ｂに渡って、かつ、用紙７２１ａ，７２１ｂの一端辺に沿ってテープ７１０が剥離可能に貼付されている。
【０００９】
上記のように構成された冊子７２０においては、宛名シール７２３に記載された情報に従って送付先に送付されることになるが、その際、綴じ合わされた端辺に対向する端辺が開放されているものの、その端辺にテープ７１０が貼付されているため、送付途中において見開かれることがない。そして、冊子７２０が送付先に届けられた後、テープ７１０が剥離され、冊子７２０が見開かれることによりその内部が閲覧可能となる。なお、このような冊子７２０に用いられるテープ７１０としては、例えば、ロール状に巻かれた状態から引き出されて使用され、裏面に感圧性接着剤が塗布されたものが用いられる（例えば、特許文献１参照。）。このようにロール状に巻かれた状態のテープは、巻かれた状態から引き出され、用紙の一端辺に合わせた長さに断裁され、図１２に示したように用紙の一端辺に沿う領域に貼付されることになる。
【特許文献１】特開２００３−１５４７７６号公報
【発明の開示】
【発明が解決しようとする課題】
【００１０】
図１３は、図１２に示した冊子７２０からテープ７１０を剥離する際の作用を説明するための図であり、（ａ）は表面図、（ｂ）は裏面図、（ｃ）は側面図である。
【００１１】
図１２に示した冊子７２０において、冊子７２０の表面側におけるテープ７１０の一端部を剥離開始端としてテープ７１０を剥離していくと、まず、図１３（ａ），（ｂ）に示すように、テープ７１０の冊子７２０の表面側が用紙７２１ａから剥離していく。
【００１２】
そして、さらにテープ７１０を同一方向に引っ張ることにより用紙７２１ａ，７２１ｂからテープ７１０を剥離しようとすると、テープ７１０の剥離開始端側の端部の辺が、テープ７１０の剥離方向に向いていないことから、テープ７１０に対して負荷がかかり、図１３（ｃ）に示すように、テープ７１０が用紙７２１ａに貼付された領域と用紙７２１ｂに貼付された領域との境界で破断してしまい、テープ７１０が冊子７２０からきれいに剥がれなくなってしまう。
【００１３】
そのため、冊子７２０からテープ７１０をきれいに剥がすためには、剥離方向を適宜変えていったり、剥離開始端を複数設けて複数の剥離開始端から剥がしていったりしなければならず、冊子７２０からテープ７１０を剥がすのに時間と手間がかかってしまうという問題点がある。
【００１４】
本発明は、上述したような従来の技術が有する問題点に鑑みてなされたものであって、冊子の表紙を構成する用紙に渡って貼付されたテープを容易に剥離することができる冊子を提供することを目的とする。
【課題を解決するための手段】
【００１５】
上記目的を達成するために本発明は、
重ね合わされた２枚の用紙の一端辺に沿う領域の表側面に、前記一端辺にて折り返されて前記２枚の用紙に渡ってテープが剥離可能に貼付されている冊子において、
前記テープは、前記一端辺に沿う方向の一端部が前記２枚の用紙に渡って前記一端辺に沿う方向に対して斜めに切られていることを特徴とする。
【００１６】
上記のように構成された本発明においては、用紙の一端辺に沿う方向の一端部が用紙の一端辺に沿う方向に対して斜めに切られているため、その斜めに切られた一端部の先端部分を剥離開始端として用紙からテープを剥離していくと、テープに加わる剥離方向に向かう力が、テープの外形線に沿って加わることとなる。そのため、テープが２枚の用紙に渡って貼付された領域においても、２枚の用紙の境界でテープが破断してしまうことがなく、用紙からきれいに剥がれることになる。
【００１７】
また、このような冊子としては、前記２枚の用紙をそれぞれ表紙とし、前記表紙の間に複数枚の用紙が挟み込まれて前記一端辺と対向する端辺にて綴じ合わされたものも考えられる。その場合、表紙となる２枚の用紙に渡ってテープを貼付することにより冊子が見開かれない状態となり、その後、テープが剥離されることにより冊子が見開き可能な状態となる。
【発明の効果】
【００１８】
以上説明したように本発明においては、重ね合わされた２枚の用紙の一端辺に沿う領域の表側面に、この２枚の用紙に渡って貼付されたテープの、用紙の一端辺に沿う方向の一端部がその一端辺に沿う方向に対して斜めに切られている構成としたため、テープを剥離開始端から剥離していくと、テープが２枚の用紙の境界で破断してしまうことがなく、用紙からきれいに剥がれることとなり、冊子の表裏を構成する用紙に渡って貼付されたテープを容易に剥離することができる。
【発明を実施するための最良の形態】
【００１９】
以下に、本発明の実施の形態について図面を参照して説明する。
【００２０】
図１は、本発明の冊子に用いられるテープの実施の一形態を示す図であり、（ａ）は表面図、（ｂ）は裏面図、（ｃ）は（ａ）に示したＡ−Ａ’断面図である。
【００２１】
本形態におけるテープは図１に示すように、４つの頂点１３ａ〜１３ｄを具備する平行四辺形の形状を有するベース基材１１の裏面全面に、貼付後の剥離が可能な粘着剤１２が塗布されて構成されている。ベース基材１１は、４つの頂点１３ａ〜１３ｄのうち、鋭角を形成する頂点１３ａ，１３ｄの角度がそれぞれ３５度、鈍角を形成する頂点１３ｂ，１３ｃの角度がそれぞれ１４５度となっている。
【００２２】
図２は、図１に示したテープ１０の製造方法を説明するための図である。
【００２３】
図１に示したテープ１０は、図２に示すように、連続状となってロール状に巻き取られており、このロール状に巻き取られた状態から引き出されて単片状に断裁されて製造される。ここで、図１に示したテープ１０は、平行四辺形であるため、連続状から単片状に断裁する際、テープ１０間は１度の断裁で済み、製造工程が複雑になってしまうことがない。
【００２４】
以下に、上述したテープ１０が貼付されてなる冊子について説明する。
【００２５】
（第１の実施の形態）
図３は、本発明の冊子の第１の実施の形態を示す図であり、（ａ）は表面図、（ｂ）は裏面図、（ｃ）は見開き状態を示す図である。
【００２６】
本形態における冊子は図３に示すように、重ね合わされた２枚の用紙２１ａ，２１ｂの一端辺に沿う領域の表側面に、２枚の用紙２１ａ，２１ｂに渡って、かつ、用紙２１ａ，２１ｂの一端辺に沿って、図１に示したテープ１０が剥離可能に貼付されて構成されており、それにより、図３（ｃ）に示すように、２枚の用紙２１ａ，２１ｂがテープ１０を中心として見開き可能となっている。テープ１０は、４つの頂点１３ａ〜１３ｄを有する平行四辺形であることから、用紙２１ａ，２１ｂの一端辺に沿う方向の両端部が、用紙２１ａ，２１ｂの一端辺に沿う方向に対して斜めに切られた状態となっている。
【００２７】
以下に、上記のように構成された冊子２０からテープ１０を剥離する際の作用について説明する。
【００２８】
図４は、図３に示した冊子２０からテープ１０を剥離する際の作用を説明するための図であり、（ａ）は表面図、（ｂ）は裏面図、（ｃ）は側面図である。
【００２９】
図３に示した冊子２０において、テープ１０の用紙２１ａ，２１ｂの一端辺に沿う方向の一端部の頂点１３ａを剥離開始端としてテープ１０を剥離していくと、まず、図４（ａ）に示すように、冊子２０の表面側となる用紙２１ａからテープ１０が剥離していく。
【００３０】
そして、さらに、テープ１０を剥離する方向に引っ張っていくと、冊子２０からテープ１０が剥離しようとする領域が、冊子２０の表面側となる用紙２１ａと冊子２０の裏面側となる用紙２１ｂとの境界部分に達する。この領域においては、テープ１０が２枚の用紙２１ａ，２１ｂに渡って貼付されているが、この領域にはテープ１０の頂点１３ａ，１３ｃを含む一端部が重なっており、その一端部が、用紙２１ａ，２１ｂのテープ１０が貼付された一端辺に沿う方向に対して斜めに切られているため、頂点１３ａを剥離開始端としてテープ１０を剥離する方向に引っ張った場合、テープ１０に加わる剥離方向に向かう力が、テープ１０の外形線に沿って加わることとなり、それにより、図４（ｂ），（ｃ）に示すように、テープ１０が２枚の用紙２１ａ，２１ｂの境界で破断してしまうことがなく、用紙２１ａ，２１ｂからきれいに剥がれることになる。
【００３１】
その後、さらに、テープ１０を剥離する方向に引っ張っていき、テープ１０を冊子２０から剥離する。
【００３２】
このようにしてテープ１０が剥離されることにより分離された２枚の用紙２１ａ，２１ｂは、その後、廃棄されたり、分離した状態で使用されたりすることになる。
【００３３】
上述したように本形態においては、冊子２０に貼付されたテープ１０の、用紙２１ａ,２１ｂのテープ１０が貼付された一端辺に沿う方向の両端部が、用紙２１ａ，２１ｂのテープ１０が貼付された一端辺に沿う方向に対して斜めに切られているため、その両端部に含まれる頂点１３ａ〜１３ｄのうち先端部分となる頂点１３ａあるいは頂点１３ｄを剥離開始端として剥離すれば、テープ１０を冊子２０から剥離する際にテープ１０に加わる剥離方向に向かう力が、テープ１０の外形線に沿って加わることとなり、テープ１０が２枚の用紙２１ａ，２１ｂの境界で破断してしまうことがなく、用紙２１ａ，２１ｂからきれいに剥がれることとなり、冊子２０の表裏を構成する２枚の用紙２１ａ，２１ｂに渡って貼付されたテープを容易に剥離することができる。
【００３４】
（第２の実施の形態）
図５は、本発明の冊子の第２の実施の形態を示す図であり、（ａ）は表面図、（ｂ）は裏面図、（ｃ）は（ａ）に示したＡ−Ａ’断面図である。
【００３５】
本形態における冊子は図５に示すように、重ね合わされた２枚の用紙２１ａ，２１ｂを表紙とし、この２枚の用紙２１ａ，２１ｂの間に複数枚の用紙２２が挟み込まれ、用紙２１ａ，２１ｂの端辺に沿う領域の表側面に、２枚の用紙２１ａ，２１ｂに渡って、かつ、用紙２１ａ，２１ｂの端辺に沿って、図１に示したテープ１０が剥離可能に貼付され、さらに、テープ１０が貼付された一端辺に対向する端辺にて用紙２１ａ，２１ｂと用紙２２とが綴じ合わされて構成されている。それにより、テープ１０を剥離することにより、綴じ合わされた一端辺を中心として見開き可能となっている。２枚の用紙２１ａ，２１ｂのうち、表面となる用紙２１ａには、この冊子２０の宛先の住所や氏名等が記載された宛名シール２３が貼付されている。また、テープ１０は、４つの頂点１３ａ〜１３ｄを有する平行四辺形であることから、用紙２１ａ，２１ｂの一端辺に沿う方向の両端部が、用紙２１ａ，２１ｂのテープ１０が貼付された一端辺に沿う方向に対して斜めに切られた状態となっている。
【００３６】
なお、本形態においては、２枚の用紙２１ａ，２１ｂのテープ１０が貼付された一端辺に対向する端辺が綴じ合わされることにより２枚の表紙が構成されているが、１枚の用紙が中心部にて折り畳まれることにより表紙を構成してもよく、これは表紙に挟み込まれる複数枚の用紙についても同様である。このように１枚の用紙が中心部にて折り畳まれたものについても、中心部にて２枚の用紙が綴じ合わされたものとして定義する。
【００３７】
以下に、上記のように構成された冊子２０からテープ１０を剥離する際の作用について説明する。
【００３８】
図６は、図５に示した冊子１２０からテープ１０を剥離する際の作用を説明するための図であり、（ａ）は表面図、（ｂ）は裏面図、（ｃ）は側面図、（ｄ）はテープ１０が完全に剥離された状態を示す図である。
【００３９】
本形態における冊子１２０は、図５に示したように、用紙２１ａ，２１ｂの、用紙２１ａ，２１ｂ，２２が綴じ合わされた端辺と対向する端辺に沿う領域にテープ１０が貼付された状態で、宛名シール２３に記載された情報に従って送付先に送付される。この状態においては、用紙２１ａ，２１ｂ，２２が綴じ合わされた端辺と対向する端辺、すなわち、冊子１２０の見開き側がテープ１０によって綴じられた状態となっているため、送付途中において見開かれることがない。
【００４０】
そして、冊子１２０が送付先に届けられた後、テープ１０の、用紙２１ａ，２１ｂの一端辺に沿う方向の一端部の頂点１３ａを剥離開始端としてテープ１０を剥離していくと、まず、図６（ａ）に示すように、冊子１２０の表面側となる用紙２１ａからテープ１０が剥離していく。
【００４１】
そして、さらに、テープ１０を剥離する方向に引っ張っていくと、冊子１２０からテープ１０が剥離しようとする領域が、冊子１２０の表面側となる用紙２１ａと冊子１２０の裏面側となる用紙２１ｂとの境界部分に達する。この領域においては、テープ１０が２枚の用紙２１ａ，２１ｂに渡って貼付されているが、この領域にはテープ１０の頂点１３ａ，１３ｃを含む一端部が重なっており、その一端部が、用紙２１ａ，２１ｂのテープ１０が貼付された一端辺に沿う方向に対して斜めに切られているため、頂点１３ａを剥離開始端としてテープ１０を剥離する方向に引っ張った場合、テープ１０に加わる剥離方向に向かう力が、テープ１０の外形線に沿って加わることとなり、それにより、図６（ｂ），（ｃ）に示すように、テープ１０が２枚の用紙２１ａ，２１ｂの境界で破断してしまうことがなく、用紙２１ａ，２１ｂからきれいに剥がれることになる。
【００４２】
その後、さらに、テープ１０を剥離する方向に引っ張っていき、テープ１０を冊子１２０から剥離する。
【００４３】
このようにして用紙２１ａ，２１ｂからテープ１０が剥離されると、図６（ｄ）に示すように、用紙２１ａ，２１ｂ，２２が綴じ合わされた端辺と対向する端辺、すなわち、冊子１２０の見開き側が見開き可能な状態となり、用紙２１ａ，２１ｂの内面や用紙２２に記載された情報が閲覧されることになる。
【００４４】
上述したように本形態においては、冊子１２０に貼付されたテープ１０の、用紙２１ａ,２１ｂのテープ１０が貼付された一端辺に沿う方向の両端部が、用紙２１ａ，２１ｂのテープ１０が貼付された一端辺に沿う方向に対して斜めに切られているため、その両端部に含まれる頂点１３ａ〜１３ｄのうち先端部分となる頂点１３ａあるいは頂点１３ｄを剥離開始端として剥離すれば、テープ１０を冊子１２０から剥離する際にテープ１０に加わる剥離方向に向かう力が、テープ１０の外形線に沿って加わることとなり、テープ１０が２枚の用紙２１ａ，２１ｂの境界で破断してしまうことがなく、用紙２１ａ，２１ｂからきれいに剥がれることとなり、冊子２０の表裏を構成する２枚の用紙２１ａ，２１ｂに渡って貼付されたテープを容易に剥離することができる。
【００４５】
（他の実施の形態）
図７は、本発明の冊子の他の実施の形態を示す図であり、（ａ）はテープの構成を示す図、（ｂ）は（ａ）に示したテープ２１０が貼付された冊子の表面図、（ｂ）は（ａ）に示したテープ２１０が貼付された冊子の裏面図である。
【００４６】
本形態におけるテープは図７（ａ）に示すように、４つの頂点２１３ａ〜２１３ｄを具備する台形の形状を有しており、頂点２１３ａの角度が３５度、頂点２１３ｂ，２１３ｄの角度がそれぞれ９０度、頂点２１３ｃの角度が１４５度となっている。なお、裏面には、図１に示したものと同様に、貼付後の剥離が可能な粘着剤（不図示）が塗布されている。
【００４７】
上記のように構成されたテープ２１０は、図７（ｂ），（ｃ）に示すように、重ね合わされた２枚の用紙２１ａ，２１ｂの一端辺に沿う領域の表側面に、２枚の用紙２１ａ，２１ｂに渡って、かつ、用紙２１ａ，２１ｂの一端辺に沿って貼付される。そして、テープ２１０においては、頂点２１３ａの角度が３５度、頂点２１３ｂ，２１３ｄの角度がそれぞれ９０度、頂点２１３ｃの角度が１４５度の台形であることから、用紙２１ａ，２１ｂの一端辺に沿う方向の頂点２１３ａ，２１３ｃを含む一端部が、用紙２１ａ，２１ｂのテープ２１０が貼付された一端辺に沿う方向に対して斜めに切られた状態となっている。
【００４８】
本形態における冊子２２０においても、テープ２１０の、用紙２１ａ,２１ｂのテープ２１０が貼付された一端辺に沿う方向の頂点２１３ａ，２１３ｃを含む一端部が、用紙２１ａ，２１ｂのテープ２１０が貼付された一端辺に沿う方向に対して斜めに切られているため、その一端部の先端部分となる頂点２１３ａを剥離開始端として剥離すれば、上述した実施の形態と同様に、テープ２１０を冊子２２０から剥離する際にテープ２１０に加わる剥離方向に向かう力が、テープ２１０の外形線に沿って加わることとなり、テープ２１０が２枚の用紙２１ａ，２１ｂの境界で破断してしまうことがなく、用紙２１ａ，２１ｂからきれいに剥がれることとなり、冊子２２０の表裏を構成する２枚の用紙２１ａ，２１ｂに渡って貼付されたテープを容易に剥離することができる。
【００４９】
図８は、本発明の冊子の他の実施の形態を示す図であり、（ａ）はテープの構成を示す図、（ｂ）は（ａ）に示したテープ３１０が貼付された冊子の表面図、（ｂ）は（ａ）に示したテープ３１０が貼付された冊子の裏面図である。
【００５０】
本形態におけるテープは図８（ａ）に示すように、４つの頂点３１３ａ〜３１３ｄを具備する等脚台形の形状を有しており、頂点３１３ａ，３１３ｂの角度がそれぞれ３５度、頂点３１３ｃ，３１３ｄの角度がそれぞれ１４５度となっている。なお、裏面には、図１に示したものと同様に、貼付後の剥離が可能な粘着剤（不図示）が塗布されている。
【００５１】
上記のように構成されたテープ３１０は、図８（ｂ），（ｃ）に示すように、重ね合わされた２枚の用紙２１ａ，２１ｂの一端辺に沿う領域の表側面に、２枚の用紙２１ａ，２１ｂに渡って、かつ、用紙２１ａ，２１ｂの一端辺に沿って貼付される。そして、テープ３１０においては、頂点３１３ａ，３１３ｂの角度がそれぞれ３５度、頂点３１３ｃ，３１３ｄの角度がそれぞれ１４５度の等脚台形であることから、用紙２１ａ，２１ｂの一端辺に沿う方向の両端部が、用紙２１ａ，２１ｂのテープ３１０が貼付された一端辺に沿う方向に対して斜めに切られた状態となっている。
【００５２】
本形態における冊子３２０においても、テープ３１０の、用紙２１ａ,２１ｂのテープ３１０が貼付された一端辺に沿う方向の両端部が、用紙２１ａ，２１ｂのテープ３１０が貼付された一端辺に沿う方向に対して斜めに切られているため、その両端部に含まれる頂点３１３ａ〜３１３ｄのうち先端部分となる頂点３１３ａあるいは頂点３１３ｂを剥離開始端として剥離すれば、上述した実施の形態と同様に、テープ３１０を冊子３２０から剥離する際にテープ３１０に加わる剥離方向に向かう力が、テープ３１０の外形線に沿って加わることとなり、テープ３１０が２枚の用紙２１ａ，２１ｂの境界で破断してしまうことがなく、用紙２１ａ，２１ｂからきれいに剥がれることとなり、冊子３２０の表裏を構成する２枚の用紙２１ａ，２１ｂに渡って貼付されたテープを容易に剥離することができる。
【００５３】
図９は、本発明のテープの他の実施の形態を示す図であり、テープの裏面の構成を示す。
【００５４】
本形態におけるテープは図９に示すように、図１に示したものに対して、ベース基材１１の裏面に塗布された粘着剤１２が縞状となっている点のみが異なるものである。
【００５５】
このように構成されたテープ４１０においては、ベース基材１１の裏面に粘着剤１２が縞状に塗布されていることにより、テープ４１０を冊子から剥離しやすくすることができる。
【００５６】
図１０は、本発明のテープの他の実施の形態を示す図であり、テープの裏面の構成を示す。
【００５７】
本形態におけるテープは図１０に示すように、図１に示したものに対して、ベース基材１１の裏面のうち長手方向の両側部のみに粘着剤１２が塗布されている点のみが異なるものである。
【００５８】
このように構成されたテープ５１０においては、図５に示したような冊子に用いた場合、テープ５１０が表紙となる２枚の用紙２１ａ，２１ｂのみに貼付され、用紙２１ａ，２１ｂに挟み込まれた用紙２２には貼付されず、それにより、テープ５１０を剥離する際、さらに剥離しやすくすることができる。
【００５９】
図１１は、本発明のテープの他の実施の形態を示す図であり、テープの裏面の構成を示す。
【００６０】
本形態におけるテープは図１１に示すように、図９に示したものと図１０に示したものを組み合わせた形状であって、それにより、図９に示したものと図１０に示したものの効果をそれぞれ得ることができる。
【００６１】
なお、上述した実施の形態においては、テープの一端部が、剥離開始端となる頂点の角度が３５度となるように斜めに切られているが、本発明は、テープの、用紙のテープが貼付された一端辺に沿う方向の一端部が、用紙のテープが貼付された一端辺に沿う方向に対して斜めに切られていれば、その角度は３５度に限らない。
【００６２】
また、テープの斜めに切られた端部は、角度を有する２つの頂点を含むものではなく、丸みを帯びた２つの頂点を含むものであってもよい。
【図面の簡単な説明】
【００６３】
【図１】本発明の冊子に用いられるテープの実施の一形態を示す図であり、（ａ）は表面図、（ｂ）は裏面図、（ｃ）は（ａ）に示したＡ−Ａ’断面図である。
【図２】図１に示したテープの製造方法を説明するための図である。
【図３】本発明の冊子の第１の実施の形態を示す図であり、（ａ）は表面図、（ｂ）は裏面図、（ｃ）は見開き状態を示す図である。
【図４】図３に示した冊子からテープを剥離する際の作用を説明するための図であり、（ａ）は表面図、（ｂ）は裏面図、（ｃ）は側面図である。
【図５】本発明の冊子の第２の実施の形態を示す図であり、（ａ）は表面図、（ｂ）は裏面図、（ｃ）は（ａ）に示したＡ−Ａ’断面図である。
【図６】図５に示した冊子からテープを剥離する際の作用を説明するための図であり、（ａ）は表面図、（ｂ）は裏面図、（ｃ）は側面図、（ｄ）はテープが完全に剥離された状態を示す図である。
【図７】本発明の冊子の他の実施の形態を示す図であり、（ａ）はテープの構成を示す図、（ｂ）は（ａ）に示したテープが貼付された冊子の表面図、（ｂ）は（ａ）に示したテープが貼付された冊子の裏面図である。
【図８】本発明の冊子の他の実施の形態を示す図であり、（ａ）はテープの構成を示す図、（ｂ）は（ａ）に示したテープが貼付された冊子の表面図、（ｂ）は（ａ）に示したテープが貼付された冊子の裏面図である。
【図９】本発明のテープの他の実施の形態を示す図である。
【図１０】本発明のテープの他の実施の形態を示す図である。
【図１１】本発明のテープの他の実施の形態を示す図である。
【図１２】テープを用いて送付される冊子の一例を示す図であり、（ａ）は表面図、（ｂ）は裏面図である。
【図１３】図１２に示した冊子からテープを剥離する際の作用を説明するための図であり、（ａ）は表面図、（ｂ）は裏面図、（ｃ）は側面図である。
【符号の説明】
【００６４】
１０，２１０，３１０，４１０，５１０，６１０    テープ
１１    ベース基材
１２    粘着剤
１３ａ〜１３ｄ，２１３ａ〜２１３ｄ，３１３ａ〜３１３ｄ    頂点
２０，１２０，２２０，３２０    冊子
２１ａ，２１ｂ，２２    用紙
２３    宛名シール
【図１】
0005330663.tif 000002
【図２】
0005330663.tif 000003
【図３】
0005330663.tif 000004
【図４】
0005330663.tif 000005
【図５】
0005330663.tif 000006
【図６】
0005330663.tif 000007
【図７】
0005330663.tif 000008
【図８】
0005330663.tif 000009
【図９】
0005330663.tif 000010
【図１０】
0005330663.tif 000011
【図１１】
0005330663.tif 000012
【図１２】
0005330663.tif 000013
【図１３】
0005330663.tif 000014